(57)【要約】  【課題】羽根の停止時におけるバウンドを好適に抑制できるようにした、低コストなカメラ用羽根駆動装置を提供すること。  【解決手段】相反する方向へ同時に回転させられるシャッタ羽根１５，１６には、二つずつのスリット１５ｂ，１５ｃ，１６ｂ，１６ｃが形成されており、開口部１ａを閉じてストッパ部１ｒ，１ｑに当接したときの衝撃と、開口部１ａを開いてストッパ部１ｎ，１ｐに当接したときの衝撃が吸収され、バウンドが抑制されるようになっている。また、絞り羽根１７には、二つのスリット１７ｃ，１７ｄが形成されており、開口部１ａに進入してストッパ部１ｓに当接したときの衝撃と、開口部１ａから退いてストッパ部１ｐに当接したときの衝撃が吸収され、バウンドが抑制されるようになっている。【選択図】  図２
2009086306.tif 000002
【特許請求の範囲】
【請求項１】
カバー板との間に羽根室を構成していて羽根室側の面に複数のストッパ部を設けている地板と、前記ストッパ部に当接する端縁の近傍領域に長さ方向が前記ストッパ部に対する当接方向とは概ね直交するように形成されたスリットを有していて前記地板に対して回転可能に取り付けられており駆動手段によって往復回転させられ露光開口に進退させられる少なくとも１枚の羽根と、を備えていることを特徴とするカメラ用羽根駆動装置。
【請求項２】
前記羽根は、露光開口へ進入し終わったときに前記ストッパ部に当接する端縁の近傍領域にだけ前記スリットを形成しているようにしたことを特徴とする請求項１に記載のカメラ用羽根駆動装置。
【請求項３】
前記羽根は、前記スリットが、露光開口へ進入し終わったときに前記ストッパ部に当接する端縁の近傍領域と、露光開口から退いた直後にもう一つの前記ストッパ部に当接する端縁の近傍領域とに、別々に形成されていることを特徴とする請求項１に記載のカメラ用羽根駆動装置。
【請求項４】
前記スリットは、直線状の長孔であることを特徴とする請求項１乃至３のいずれかに記載のカメラ用羽根駆動装置。
【請求項５】
前記スリットは、円弧状の長孔であることを特徴とする請求項１乃至３のいずれかに記載のカメラ用羽根駆動装置。
【請求項６】
前記スリットは、前記長孔の一端が開放された形状をしていることを特徴とする請求項４又は５に記載のカメラ用羽根駆動装置。
【請求項７】
前記ストッパ部は、前記羽根の端縁が線接触で当接し得る被当接面を有しており、前記スリットは、前記羽根の回転軸に近い方の一端が他端よりも前記端縁に近くなるようにして形成されていることを特徴とする請求項４に記載のカメラ用羽根駆動装置。
【発明の詳細な説明】
【技術分野】
【０００１】
本発明は、レンズシャッタ装置，絞り装置，フィルタ装置などのカメラ用羽根駆動装置に関する。
【背景技術】
【０００２】
最近のレンズシャッタ装置（以下、シャッタ装置という）は、１枚の羽根を往復回転させたり、２枚の羽根を相反する方向へ同時に往復回転させて、露光開口を開閉するようにしたものが殆どである。また、コンパクトカメラや情報端末機器内臓カメラに採用されている絞り装置やフィルタ装置の場合には、１枚の羽根を往復回転させて、露光開口へ進退させるようにしたものが多くなっている。そして、それらの装置は、単体でユニット化されることもあるが、それらのうちの二つ以上を一つのユニットとして構成することもある。
【０００３】
ところで、周知のように、フィルムカメラに採用されたシャッタ装置の場合には、シャッタ羽根が露光開口を全開にしたときや閉鎖したときに、ストッパに当接して大きくバウンドすると、露光むらの原因になってしまうことがある。また、デジタルカメラに採用されたシャッタ装置の場合には、シャッタ羽根が露光開口を閉鎖してストッパに当接したとき、大きくバウンドすると、撮像情報の転送時におけるスミア現象の原因になってしまうことがある。更に、絞り装置やフィルタ装置の場合には、絞り羽根やフィルタ羽根が露光開口へ進入させられたとき、ストッパに当接して大きくバウンドすると、静止するまでの時間がかかり、露光開始のタイミングが遅くなってしまうことになる。
【０００４】
そこで、絞り羽根の回転を好適に停止させることを可能にしたカメラ用羽根駆動装置の一例が、下記の特許文献１に記載されている。また、２枚のシャッタ羽根と１枚の絞り羽根の回転を、夫々好適に停止させることを可能にしたカメラ用羽根駆動装置の一例が、下記の特許文献２に記載されている。本発明は、そのように、少なくとも１枚の羽根を往復回転させて、露光開口へ進退させるようにしたものであって、停止時におけるバウンドが好適に抑制されるようにしたカメラ用羽根駆動装置に関するものである。
【０００５】
【特許文献１】特開２００４−６１８９７号公報
【特許文献２】特開２００４−１８４４８５号公報
【発明の開示】
【発明が解決しようとする課題】
【０００６】
特許文献１に記載されているバウンド抑止構成は、地板に設けられたストッパ部に、弾性を有する緩衝部材を取り付け、その緩衝部材に絞り羽根を当接させるようにしたものである。しかしながら、このような構成は、ストッパ部のほかに緩衝部材が必要であって、接着などの取り付け作業も一つ一つ行う必要になることから、製造コストの観点からは、有利であるとは言えないものである。また、特許文献２に記載されているバウンド抑止構成は、地板に設けられたストッパ部に、緩衝性を有する塗膜を形成し、それらにシャッタ羽根や絞り羽根を当接させるようにしたものであるが、このような構成の場合にも、ストッパ部にだけ、一つ一つ塗膜を施すことになるので、作業としては面倒であり、製造コストの観点からは、やはり、有利とは言えない。
【０００７】
本発明は、このような問題点を解決するためになされたものであり、その目的とするところは、少なくとも１枚の羽根を往復回転させて、露光開口へ進退させるようにしたカメラ用羽根駆動装置において、羽根の停止時におけるバウンドを好適に抑制できるようにした、従来よりも低コスト化の可能なカメラ用羽根駆動装置を提供することである。
【課題を解決するための手段】
【０００８】
上記の目的を達成するために、本発明のカメラ用羽根駆動装置は、カバー板との間に羽根室を構成していて羽根室側の面に少なくとも一つのストッパ部を設けている地板と、前記ストッパ部に当接する端縁の近傍領域に長さ方向が前記ストッパ部に対する当接方向とは概ね直交するように形成されたスリットを有していて前記地板に対して回転可能に取り付けられており駆動手段によって往復回転させられ露光開口に進退させられる少なくとも１枚の羽根と、を備えているようにする。
【０００９】
その場合、前記羽根は、露光開口へ進入し終わったときに前記ストッパ部に当接する端縁の近傍領域にだけ前記スリットを形成しているようにしてもよいし、前記羽根は、前記スリットが、露光開口へ進入し終わったときに前記ストッパ部に当接する端縁の近傍領域と、露光開口から退いた直後にもう一つの前記ストッパ部に当接する端縁の近傍領域とに、別々に形成されているようにしてもよい。
【００１０】
また、前記スリットは、直線状の長孔であるようにしてもよいし、円弧状の長孔であるようにしてもよく、しかも、それらの長孔の一端が開放された形状にしても差し支えない。更に、前記スリットが直線状の長孔である場合には、前記ストッパ部は、前記羽根の端縁が線接触で当接し得る被当接面を有しており、前記スリットは、前記羽根の回転軸に近い方の一端が他端よりも前記端縁に近くなるようにして形成されているようにすると、一層好ましいものになる。
【発明の効果】
【００１１】
本発明は、少なくとも１枚の羽根を往復回転させて、露光開口へ進退させるようにしたカメラ用羽根駆動装置において、羽根の形状を工夫するだけで、羽根の停止時におけるバウンドを好適に抑制できるようにしたものであるから、従来のように、地板に設けられているストッパ部に緩衝部材を取り付けたり、緩衝性の塗膜を施したりするよりも、製造コストを低減できるという利点がある。
【発明を実施するための最良の形態】
【００１２】
本発明の実施の形態を、図示した四つの実施例によって説明する。上記のように、本発明のカメラ用羽根駆動装置は、シャッタ装置，絞り装置，フィルタ装置の各々として構成しても、それらの二つ以上を一つのユニットとして構成してもよいものである。それに対して、実施例１は、２枚のシャッタ羽根を備えたシャッタ装置と、１枚の絞り羽根を備えた絞り装置とを一つのユニットとして構成したものであり、実施例２〜４は、２枚のシャッタ羽根を備えた単体のシャッタ装置として構成したものである。しかしながら、その他の羽根駆動装置については、それらの実施例の説明の中で、適宜、説明を加えることにする。また、各実施例の羽根駆動装置は、デジタルカメラにもフィルムカメラにも採用することができるものであるが、デジタルカメラに採用される場合を前提にして説明することにする。尚、図１〜図５は、実施例１を説明するためのものであり、図６及び図７は、実施例２を説明するためのものであり、図８及び図９は、実施例３を説明するためのものであり、図１０及び図１１は、実施例４を説明するためのものである。
【実施例１】
【００１３】
最初に、図１〜図５を用いて本実施例を説明するが、上記したように、本実施例は、２枚のシャッタ羽根を備えたシャッタ装置と１枚の絞り羽根を備えた絞り装置とを一つのユニットとして構成したものである。そして、図１は、本実施例の撮影待機状態を被写体側から見て示した平面図であり、図２は、図１の状態を固体撮像素子側から見て示した平面図である。また、図３は、本実施例の構成部材の重なり関係を理解し易く示した断面図である。更に、図４は、図２と同様にして見て、絞り羽根を露光開口に進入させた状態を示す平面図であり、図５は、その後、シャッタ羽根に閉じ作動を行わせた状態を示す平面図である。
【００１４】
そこで先ず、本実施例の構成を説明する。図１に示されているように、合成樹脂製の地板１は、その中央部に光軸を中心にして円形に形成された被写体光路用の開口部１ａと、円弧状に形成された二つの長孔１ｂ，１ｃを有している。この地板１の固体撮像素子側には、カバー板２が配置されており、図２に示されているように、二つのねじ３，４によって地板１に取り付けられ、地板１との間に羽根室を構成している。また、カバー板２は、羽根室内の構成を理解し易くするために、図２においては、部分的にしか示されていないが、その外形は、地板１と類似の形状をしており、中央部には光軸を中心にして円形に形成された被写体光路用の開口部２ａを有している。しかしながら、本実施例の場合には、その開口部２ａの直径よりも、上記の開口部１ａの直径の方が小さいため、露光開口は、開口部１ａによって規制されている。尚、図４及び図５においては、このカバー板２と、その取り付け構成が省略されている。そして、そのことは、以下の実施例２〜４を説明するための図６〜図１１の場合も同じである。
【００１５】
地板１の被写体側の面には、周知の構成をした二つの電磁アクチュエータが配置されている。しかしながら、それらの電磁アクチュエータは、実質的に同じ構成をしているので、図３においては、シャッタ羽根を駆動する方の電磁アクチュエータだけを示してある。そこで次に、それらの電磁アクチュエータの構成を説明する。図１に示されているように、地板１には、二つの回転子取付軸１ｄ，１ｅと、二つの位置決めピン１ｆ，１ｇが立設されているほか、二つのフック部１ｈ，１ｉが設けられている。そして、両方の電磁アクチュエータに共通の枠板５は、その長手方向の両端近傍部位を、上記のフック部１ｈ，１ｉに掛け止めされ、ねじ６によってその中央部を地板１に螺着されていて、地板１との間に二つのアクチュエータ室を構成している。また、この枠板５は、二つの孔５ａ，５ｂと、大きな二つの切欠き孔５ｃ，５ｄを有していて、二つの孔５ａ，５ｂには、上記の回転子取付軸１ｄ，１ｅの先端が嵌合している。
【００１６】
二つのアクチュエータ室に個別に配置されている回転子７，８は、永久磁石製であって径方向に２極に着磁された円筒状の本体部７ａ，８ａと、そこから径方向へ張り出している腕部７ｂ，８ｂと、その先端に形成された出力ピン７ｃ，８ｃとからなっていて、上記の回転子取付軸１ｄ，１ｅに回転可能に取り付けられている。そして、回転子７，８の出力ピン７ｃ，８ｃは、地板１に形成された上記の円弧状の長孔１ｂ，１ｃから羽根室側に挿入されている。尚、本実施例の回転子７，８は、このように構成されているが、腕部７ｂ，８ｂと出力ピン７ｃ，８ｃとを合成樹脂製にし、永久磁石製の本体部７ａ，８ａと一体成形したものも知られている。
【００１７】
二つのアクチュエータ室に個別に配置されているヨーク９，１０は、略Ｕ字形をしていて二つの脚部の先端部を磁極部とし、それらを、回転子７，８の本体部７ａ，８ａの周面に対向させている。これらのヨーク９，１０の一方の脚部には孔９ａ，１０ａが形成されていて、そこに上記の位置決めピン１ｆ，１ｇが嵌合している。また、他方の脚部には、コイル１１，１２を巻回したボビン１３，１４が嵌装されている。そして、それらのコイル１１，１２の一部とボビン１３，１４の一部は、図３に示されたコイル１１とボビン１３の場合で分かるように、上記の切欠き孔５ｃ，５ｄに挿入されている。尚、図１及び図３には示していないが、ヨーク９，１０は、地板１に設けられた複数の部位によって、位置決めピン１ｆ，１ｇを中心にして回転方向へ変位しないようにされている。
【００１８】
他方、地板１の羽根室側の面には、図２に示されているように、三つの羽根取付軸１ｊ，１ｋ，１ｍと、五つのストッパ部１ｎ，１ｐ，１ｑ，１ｒ，１ｓが立設されている。そして、それらの羽根取付軸１ｊ，１ｋ，１ｍもストッパ部１ｎ，１ｐ，１ｑ，１ｒ，１ｓも、各々の先端を、カバー板２に形成されている孔に挿入しているが、図３には、カバー板２に形成されている孔のうち、羽根取付軸１ｊ，１ｋを挿入している二つの孔２ｂ，２ｃだけが示されている。尚、本実施例のストッパ部１ｎ，１ｐ，１ｑ，１ｒ，１ｓは、後述する各羽根の端縁が線接触状態で当接し得るようにするための被当接面を設けていることから、断面がＤ状の柱状部として形成されているが、各羽根の強度次第では、例えば円柱状に形成し、点接触状態で当接し得るようにしても差し支えない。
【００１９】
羽根室内には、地板１側から順に、いずれも合成樹脂製のシャッタ羽根１５，シャッタ羽根１６，絞り羽根１７が配置されている。それらのうち、シャッタ羽根１５は、長孔１５ａと、直線状の細い長孔として形成された二つのスリット１５ｂ，１５ｃとを有していて、上記の羽根取付軸１ｊに回転可能に取り付けられている。また、シャッタ羽根１６は、長孔１６ａと、直線状の細い長孔として形成された二つのスリット１６ｂ，１６ｃとを有していて、上記の羽根取付軸１ｋに回転可能に取り付けられている。そして、シャッタ羽根１５の長孔１５ａとシャッタ羽根１６の長孔１６ａの両方には、上記の回転子７の出力ピン７ｃが嵌合し、その先端を、カバー板２に、上記の長孔１ｂと相似形に形成された長孔２ｄ（図３参照）に挿入している。尚、図３においては、シャッタ羽根１５，１６の長孔１５ａ，１６ａの符号が省略されている。
【００２０】
また、絞り羽根１７は、長孔１７ａと、上記の開口部１ａよりも直径の小さな絞り開口用の開口部１７ｂと、直線状の細い長孔として形成された二つのスリット１７ｃ，１７ｄとを有していて、上記の羽根取付軸１ｍに回転可能に取り付けられている。そして、その長孔１７ａには、上記の回転子８の出力ピン８ｃが嵌合し、その先端を、カバー板２に、上記の長孔１ｃと相似形に形成されている図示していない長孔に挿入している。
【００２１】
尚、本実施例の場合は、地板１とカバー板２の間に直接、羽根室を構成しているが、カメラ用の羽根駆動装置の中には、被写体光路用の開口部を有する薄い板部材を、地板１の羽根室側に密接させ、直接的には、その板部材とカバー板２との間に羽根室を構成したものが知られている。本発明は、そのような構成の羽根駆動装置にも適用されるものであるが、そのように構成する場合には、その板部材にも、上記の羽根取付軸やストッパ部を貫通させるための孔と、上記の出力ピンを貫通させるための長孔を形成する必要がある。そして、このことは、下記の実施例２〜４にも言えることである。また、本実施例の場合には、羽根室を一つだけ構成しているが、本発明は、地板１とカバー板２との間を中間板で仕切って二つの羽根室を構成し、一方の羽根室にシャッタ羽根１５，１６を配置し、他方の羽根室に絞り羽根を配置するようにしてもよい。そして、そのように構成した場合には、中間板にも、上記の羽根取付軸やストッパ部を貫通させるための孔と、上記の出力ピンを貫通させるための長孔を形成することになる。更に、その場合にも、上記のような薄い板部材を地板１に密接させて配置しても構わない。
【００２２】
次に、本実施例の作動を説明する。図１及び図２に示した状態は、撮影待機状態であって、シャッタ羽根１５，１６と絞り羽根１７とは、開口部１ａから退いていて、開口部１ａを全開状態にしている。そのため、図示していない固体撮像素子には被写体光が当たっており、撮影者は、モニターによって被写体像を観察することが可能になっている。また、このとき、各電磁アクチュエータのコイル１１，１２には通電されていない。しかしながら、周知のように、このときには、回転子７，８は、その本体部７ａ，８ａの磁極と各ヨーク９，１０の二つの磁極部との対向配置関係によって、図２において反時計方向へ回転するように付勢されている。そのため、回転子７の出力ピン７ｃによって、図２において、シャッタ羽根１５には反時計方向へ回転する力が加わり、シャッタ羽根１６には時計方向へ回転する力が加わっている。しかしながら、シャッタ羽根１５はストッパ部１ｎに接触し、シャッタ羽根１６はストッパ部１ｐに接触しているので、その回転が阻止され、図２に示された状態が安定して得られている。また、回転子８の出力ピン８ｃによって、絞り羽根１７には、図２において反時計方向へ回転する力が加わっているが、絞り羽根１７はストッパ部１ｐに接触しているので、その回転が阻止され、図２に示された状態が安定して得られている。
【００２３】
撮影に際してレリーズボタンが押されると、測光装置による測定結果によって、被写体光を減光して撮影するか、減光しないでそのまま撮影するかが判断される。そして、減光して撮影すると判断された場合には、先ず、コイル１２に対し、順方向の電流が供給される。それにより、回転子８は、図２において時計方向（図１においては反時計方向）へ回転させられ、出力ピン８ｃによって、絞り羽根１７を時計方向へ回転させる。そのため、絞り羽根１７は、開口部１ａ内に進入してゆき、その開口部１７ｂの中心が地板１の開口部１ａの中心位置までくると、ストッパ部１ｓに当接する。そのとき、絞り羽根１７には、当接の衝撃によってバウンドする力が作用するが、本実施例の絞り羽根１７には、ストッパ部１ｓの被当接面に当接する端縁の近傍領域に、スリット１７ｄが、当接方向とは直交するようにして形成されているため、スリット１７ｄの近傍部が一時的に変形して衝撃力が吸収されることによってバウンドが抑制され、早期に静止する。その状態が、図４に示されている。
【００２４】
本実施例の場合には、このように、絞り羽根１７が早期に停止するので、直ちに撮影を開始することができ、シャッタチャンスを逸しないようになっている。そこで、この状態になると、直ちに、固体撮像素子に蓄積されていた電荷が放出されて、撮影が開始され、新たな電荷が固体撮像素子に蓄積されていく。そして、所定の時間が経過すると、露光時間制御回路からの信号により、今度はコイル１１に対して順方向の電流が供給される。それによって、回転子７は、図２において時計方向（図１においては反時計方向）へ回転させられ、出力ピン７ｃによって、シャッタ羽根１５を時計方向へ回転させ、同時に、シャッタ羽根１６を反時計方向へ回転させていく。そして、開口部１ａが完全に閉鎖されると、シャッタ羽根１５，１６はストッパ部１ｒ，１ｑに当接するが、このときにも、シャッタ羽根１５，１６には、ストッパ部１ｒ，１ｑの被当接面に当接する端縁の近傍領域に、スリット１５ｃ，１６ｃが、当接方向とは直交するようにして形成されているため、その衝撃力が吸収されてバウンドが抑制され、早期に静止する。そのため、一時的に再露光をして露光むらを生じさせることがない。その状態が、図５に示されている。
【００２５】
このようにして、図５に示された状態になると、固体撮像素子に蓄積された電荷が、撮像情報として記憶装置に転送されるが、このとき、仮に、シャッタ羽根１５，１６がバウンドして一時的に再露光が行われると、有害なスミア現象を発生させることになるが、本実施例の場合には、バウンドが好適に抑制されてシャッタ羽根１５，１６が早期に停止しているので、転送のタイミングを早くすることが可能になっている。そして、その転送が終わると、コイル１１，１２に対して逆方向の電流が供給され、図５において、回転子７，８が反時計方向へ回転させられる。それによって、回転子７は、その出力ピン７ｃによって、シャッタ羽根１５を反時計方向へ回転させ、同時にシャッタ羽根１６を時計方向へ回転させていくことになり、他方の回転子８は、その出力ピン８ｃによって、絞り羽根１７を反時計方向へ回転させていく。
【００２６】
そして、シャッタ羽根１５，１６は、開口部１ａから完全に退くと、その直後にストッパ部１ｎ，１ｐに当接するが、このときにも、シャッタ羽根１５，１６には、ストッパ部１ｎ，１ｐの被当接面に当接する端縁の近傍領域において、スリット１５ｂ，１６ｂが、当接方向とは直交するようにして形成されているため、その衝撃力が吸収されてバウンドが抑制され、早期に静止する。他方、絞り羽根１７も、開口部１ａから完全に退くと、その直後にストッパ部１ｐに当接するが、このときにも、絞り羽根１７には、ストッパ部１ｐの被当接面に当接する端縁の近傍領域において、スリット１７ｃが、当接方向とは直交するようにして形成されているため、その衝撃力が吸収されてバウンドが抑制され、早期に静止する。その後、コイル１１，１２に対する通電を断つと、図１及び図２に示された状態に復帰したことになる。
【００２７】
以上が、予め、測光装置による測定結果によって、減光して撮影すると判断された場合における作動説明であるが、測光装置による測定結果によって、減光しないで撮影すると判断された場合には、コイル１２には通電されず、絞り羽根１７は図２の状態を維持させられた状態で直ちに撮影が開始され、その終了時には、上記のようにして、コイル１１に対して通電され、シャッタ羽根１５，１６を同時に相反する方向へ往復回転させることになる。そのため、その場合における作動説明を省略する。
【００２８】
尚、上記においては、本実施例の羽根駆動装置が、デジタルカメラに採用されていることを前提にして説明したが、本実施例の羽根駆動装置はフィルムカメラに採用することも可能であり、その場合には、周知のように、絞り羽根１７が図２に示された状態にあって、シャッタ羽根１５，１６が図５に示された状態にあるときが撮影待機状態であって、撮影時においては、シャッタ羽根１５，１６は、開き作動を行ってから閉じ作動を行うことになる。また、本実施例は、便宜上、地板１を被写体側に配置し、カバー板２を固体撮像素子側に配置している場合で説明したが、本発明は、カバー板２を被写体側に配置し、地板１を固体撮像素子側に配置してもよい。そして、このことは、下記の実施例２〜４の場合も同じである。
【００２９】
また、本実施例は、シャッタ装置と絞り装置とをユニット化した羽根駆動装置であるが、絞り羽根１７に代えて、その開口部１７ｂをＮＤフィルタのシートで覆うようにしたフィルタ羽根を採用するようにすれば、シャッタ装置とフィルタ装置とをユニット化した羽根駆動装置が得られることになる。その場合、開口部１７ｂの直径は開口部１ａより小さくする必要はない。また、フィルタ羽根は、そのように構成されたものである必要はなく、ＮＤフィルタシートだけで製作されたものなど、周知のフィルタ羽根でも構わない。そのため、それらのように構成したものも、本発明の羽根駆動装置である。更に、本発明は、シャッタ装置，絞り装置，フィルタ装置の三者をユニット化した羽根駆動装置としてもよい。そのようにする場合には、一つの羽根室に、シャッタ羽根，絞り羽根，フィルタ羽根を配置しても構わないが、上記のように中間板を設けて二つの羽根室を構成し、例えば一方の羽根室にシャッタ羽根と絞り羽根を配置し、他方の羽根室にフィルタ羽根を配置するようにすればよい。更に、本発明は、本実施例の場合には、シャッタ装置，絞り装置，フィルタ装置を各々独立した装置としても構わない。
【実施例２】
【００３０】
次に、図６及び図７を用いて実施例２を説明する。本実施例の羽根駆動装置は、シャッタ装置を単独で構成したものであって、図６は、撮影待機状態を固体撮像素子側から見て示した平面図であり、図７は、図６と同様にして見て、撮影終了状態を示した平面図である。本実施例のシャッタ装置の構成は、上記の実施例１の羽根駆動装置におけるシャッタ装置と略同じであって、２枚のシャッタ羽根１５，１６に形成されているスリットの形状が異なるだけである。そのため、図６及び図７においては、スリット以外の部材，部位に、実施例１の場合と同じ符号を付けておくことにし、それらについての説明を省略する。尚、図６及び図７においては、シャッタ羽根１５，１６の長孔１５ａ，１６ａの符号が省略されているが、このことは、下記の実施例３及び４を示した図８〜図１１の場合も同じである。
【００３１】
本実施例のシャッタ羽根１５には、ストッパ部１ｎ，１ｒの被当接面に当接する端縁の近傍領域に、その当接方向とは略直交するようにして直線状に形成されていて、その長さ方向の一端が開放された形状のスリット１５ｄ，１５ｅが形成されている。また、シャッタ羽根１６にも同様に、ストッパ部１ｐ，１ｑの被当接面に当接する端縁の近傍領域に、その当接方向とは略直交するようにして直線状に形成されていて、その長さ方向の一端が開放された形状のスリット１６ｄ，１６ｅが形成されている。尚、本実施例の場合にも、ストッパ部１ｎ，１ｐ，１ｑ，１ｒは、例えば円柱状に形成し、点接触状態で当接し得るようにしても差し支えない。また、本実施例の作動は、上記した実施例１におけるシャッタ装置の作動と実質的に同じであるため、その説明を省略する。
【００３２】
このように、本実施例のスリット１５ｄ，１５ｅ，１６ｄ，１６ｅは、実施例１におけるスリット１５ｂ，１５ｃ，１６ｂ，１６ｃの長さ方向の一端を開放した形状をしているため、シャッタ羽根１５，１６のその他の形状と材質が同じである場合には、スリット１５ｄ，１５ｅ，１６ｄ，１６ｅの近傍部の変形が大きくなり、緩衝性の点では優れたものになる。
【実施例３】
【００３３】
次に、図８及び図９を用いて実施例３を説明する。本実施例の羽根駆動装置も、シャッタ装置を単独で構成したものであって、図８は、撮影待機状態を固体撮像素子側から見て示した平面図であり、図９は、図８と同様にして見て、撮影終了状態を示した平面図である。本実施例のシャッタ装置の構成は、上記の実施例２の場合と同様に、上記の実施例１の羽根駆動装置におけるシャッタ装置とは、シャッタ羽根１５，１６に形成されているスリットの形状が異なるだけである。そのため、図８及び図９においては、スリット以外の部材，部位に、実施例１の場合と同じ符号を付けておくことにし、それらについての説明を省略する。また、作動説明についても省略する。
【００３４】
本実施例のシャッタ羽根１５には、ストッパ部１ｎ，１ｒの被当接面に当接する端縁の近傍領域に、直線状の長孔形状をしたスリット１５ｆ，１５ｇが形成されている。しかしながら、そのスリット１５ｆ，１５ｇは、実施例１におけるスリット１５ｂ，１５ｃと異なり、シャッタ羽根１５の回転軸である羽根取付軸１ｊに近い方の一端が、遠い方の一端よりも、当接端縁に近くなるようにして形成されている。また、シャッタ羽根１６にも同様に、ストッパ部１ｐ，１ｑの被当接面に当接する端縁の近傍領域に、直線状の長孔形状をしたスリット１６ｆ，１６ｇが形成されているが、それらのスリット１６ｆ，１６ｇも、シャッタ羽根１６の回転軸である羽根取付軸１ｋに近い方の一端が、遠い方の一端よりも、当接端縁に近くなるようにして形成されている。
【００３５】
本実施例のスリット１５ｆ，１５ｇ，１６ｆ，１６ｇは、このように形成されているため、ストッパ部１ｎ，１ｒ，１ｐ，１ｑの被当接面にシャッタ羽根１５，１６の端縁が当接したときの力が、被当接面に対して略直角に作用せず、シャッタ羽根１５，１６の羽根取付軸１ｊ，１ｋから遠くなる方向へ所定の角度だけ傾いて作用することになるので、実施例１の場合よりも、衝撃力を小さくすることが可能になっている。また、シャッタ羽根１５，１６がストッパ部１ｎ，１ｒ，１ｐ，１ｑに当接したとき、シャッタ羽根１５，１６の各端縁には、羽根取付軸１ｊ，１ｋに近い部位よりも遠い部位の方に大きな衝撃力が加わるが、このように形成したことによって、羽根取付軸１ｊ，１ｋより遠い部位ほど強度が増すことになり、耐久性の向上が可能になっている。
【実施例４】
【００３６】
次に、図１０及び図１１を用いて実施例４を説明する。本実施例の羽根駆動装置も、シャッタ装置を単独で構成したものであって、図１０は、撮影待機状態を固体撮像素子側から見て示した平面図であり、図１１は、図１０と同様にして見て、撮影終了状態を示した平面図である。本実施例のシャッタ装置の構成は、上記の実施例２，３の場合と同様に、上記の実施例１の羽根駆動装置におけるシャッタ装置とは、シャッタ羽根１５，１６に形成されているスリットの形状が異なるだけである。そのため、図１０及び図１１においては、スリット以外の部材，部位に、実施例１の場合と同じ符号を付けておくことにし、それらについての説明を省略する。また、作動説明についても省略する。
【００３７】
本実施例のシャッタ羽根１５には、ストッパ部１ｎの被当接面に当接する端縁の近傍領域に、長さ方向が当接方向とは概ね直交するようにして形成された円弧状であって、その長さ方向の一端が開放されているスリット１５ｈが形成されている。また、このシャッタ羽根１５は、ストッパ部１ｒの被当接面に当接する端縁の近傍領域に、実施例３におけるスリット１５ｇと同じ形状のスリット１５ｉが形成されている。他方、シャッタ羽根１６にも、ストッパ部１ｐの被当接面に当接する端縁の近傍領域に、長さ方向が当接方向とは概ね直交するようにして形成された円弧状であって、その長さ方向の一端が開放されているスリット１６ｈが形成されている。そして、このシャッタ羽根１６にも、ストッパ部１ｑの被当接面に当接する端縁の近傍領域に、実施例３におけるスリット１６ｇと同じ形状のスリット１６ｉが形成されている。尚、本実施例の場合には、ストッパ部１ｎ，１ｐは、例えば円柱状に形成し、点接触状態で当接し得るようにしても差し支えない。
【００３８】
本実施例は、このように構成されているが、スリット１５ｈ，１６ｈについては、一端を開放していない円弧状の長孔形状にしてもよい。また、本実施例からも分かるように、シャッタ羽根１５，１６に形成されている二つずつのスリットは、同じ形状にする必要は全くなく、上記の実施例１から本実施例までに説明したスリットであれば、どのような形状のスリットを組み合わせても構わない。また、上記の実施例２から本実施例までに説明した形状のスリットを、実施例１の絞り羽根１７や、実施例１に付帯して説明したフィルタ羽根に形成してもよいことは言うまでもない。
【００３９】
尚、上記の各実施例で説明したシャッタ装置は、いずれも、同時に相反する方向へ回転させられる２枚のシャッタ羽根１５，１６を備えているが、いずれか一方のシャッタ羽根を大きくして、１枚のシャッタ羽根を備えたシャッタ装置としても構わない。また、本発明のいかなる態様の羽根駆動装置であったとしても、デジタルカメラに採用された場合には、それらの羽根のバウンドの抑制は、どちらかというと、羽根が露光開口（開口部１ａ）に進入し終わったときの方が重要である。そのため、各羽根に形成されるスリットは、上記の各実施例のように、二つではなく、一方だけであっても差し支えない。即ち、本発明の羽根駆動装置を、例えば、１枚のシャッタ羽根を備えたシャッタ装置として構成した場合には、そのシャッタ羽根には、上記のようなスリットが一つだけ形成されているだけでもよいということである。更に、上記の各実施例におけるシャッタ羽根は、各ストッパ部に当接する端縁の近傍位置に一つのスリットを形成しているだけであるが、本発明の羽根駆動装置の場合には、複数のスリットを並べて（略平行にして）形成するようにしても構わない。
【図面の簡単な説明】
【００４０】
【図１】撮影待機状態を被写体側から見て示した実施例１の平面図である。
【図２】図１の状態を固体撮像素子側から見て示した平面図である。
【図３】実施例１の構成部材の重なり関係を理解し易く示した断面図である。
【図４】図２と同様にして見て、絞り羽根を露光開口に進入させた状態を示す平面図である。
【図５】図２と同様にして見て、図４に示した状態からシャッタ羽根に閉じ作動を行わせた状態を示す平面図である。
【図６】撮影待機状態を固体撮像素子側から見て示した実施例２の平面図である。
【図７】図６と同様にして見て、撮影終了状態を示した実施例２の平面図である。
【図８】撮影待機状態を固体撮像素子側から見て示した実施例３の平面図である。
【図９】図８と同様にして見て、撮影終了状態を示した実施例３の平面図である。
【図１０】撮影待機状態を固体撮像素子側から見て示した実施例４の平面図である。
【図１１】図１０と同様にして見て、撮影終了状態を示した実施例４の平面図である。
【符号の説明】
【００４１】
１                                    地板
１ａ，２ａ，１７ｂ                    開口部
１ｂ，１ｃ，２ｄ，１５ａ，１６ａ，１７ａ    長孔
１ｄ，１ｅ                            回転子取付軸
１ｆ，１ｇ                            位置決めピン
１ｈ，１ｉ                            フック部
１ｊ，１ｋ，１ｍ                      羽根取付軸
１ｎ，１ｐ，１ｑ，１ｒ，１ｓ          ストッパ部
２                                    カバー板
２ｂ，２ｃ，５ａ，５ｂ，９ａ，１０ａ  孔
３，４，６                            ねじ
５                                    枠板
５ｃ，５ｄ                            切欠き孔
７，８                                回転子
７ａ，８ａ                            本体部
７ｂ，８ｂ                            腕部
７ｃ，８ｃ                            出力ピン
９，１０                              ヨーク
１１，１２                            コイル
１３，１４                            ボビン
１５，１６                            シャッタ羽根
１５ｂ〜１５ｉ，１６ｂ〜１６ｉ，１７ｃ，１７ｄ    スリット
１７                                  絞り羽根
【図１】
2009086306.tif 000003
【図２】
2009086306.tif 000004
【図３】
2009086306.tif 000005
【図４】
2009086306.tif 000006
【図５】
2009086306.tif 000007
【図６】
2009086306.tif 000008
【図７】
2009086306.tif 000009
【図８】
2009086306.tif 000010
【図９】
2009086306.tif 000011
【図１０】
2009086306.tif 000012
【図１１】
2009086306.tif 000013